(57)【要約】      （修正有）【課題】チューブ状容器内の内容物を確実に絞り上げることができ、チューブ状容器内での内容物の残留を防いで、経済的に使用することができるチューブ絞出具を提供する。【解決手段】絞り本体１の上部に対向一対の絞り部１ａ・１ａを形成して絞り部間にチューブ状容器を巻取空間Ｒに挿通可能な絞り口部Ｋを形成し、チューブ状容器を巻取可能な巻取軸体２を配設してなり、絞り口部は対向一対の絞り部及び絞り部間を継合する継合部４により一端が開口すると共に他端が閉口した形状に形成されている。チューブ状容器の底部を絞り本体の絞り口部を介して巻取軸体のスリット溝に差し込み、この状態で巻取軸体を回転させると、チューブ状容器の底部は巻取軸体に巻き取られ、チューブ状容器内の内容物はチューブ状容器の底部から吐出口部を閉塞しているキャップ側へと絞られて移動し、キャップを外して吐出口部を開口していれば内容物は吐出口部から徐々に吐出することができる。【選択図】図１
0003165890.tif 000002
【実用新案登録請求の範囲】
【請求項１】
起立設置可能な絞り本体の中程部に巻取空間を形成し、該絞り本体の上部に対向一対の絞り部を形成して該絞り部間にチューブ状容器を該巻取空間に挿通可能な絞り口部を形成し、該巻取空間にチューブ状容器の底部を差込可能なスリット溝を有してチューブ状容器を巻取可能な巻取軸体を配設し、該絞り本体の巻取空間の底部にチューブ状容器を支持可能な弾性部材を配設してなり、上記絞り口部は上記対向一対の絞り部及び該絞り部間を継合する継合部により一端が開口すると共に他端が閉口した形状に形成されていることを特徴とするチューブ絞出具。
【考案の詳細な説明】
【技術分野】
【０００１】
本考案は、例えば、化粧クリーム、練り歯磨き、わさび、からし等の食品類等を封入したチューブ状容器の内容物を絞り出す際に用いられるチューブ絞出具に関するものである。
【背景技術】
【０００２】
従来、この種のチューブ絞出具として、起立設置可能な絞り本体の中程部に巻取空間を形成し、絞り本体の上部に対向一対の絞り部を形成して該絞り部間にチューブ状容器を該巻取空間に挿通可能な絞り口部を形成し、巻取空間にチューブ状容器の底部を差込可能なスリット溝を有してチューブ状容器を巻取可能な巻取軸体を配設し、絞り本体の巻取空間の底部にチューブ状容器を支持可能な弾性部材を配設した構造が知られている。
【０００３】
しかして、チューブ状容器内の内容物が少なくなって内容物を絞り出し難くなったとき、チューブ状容器の底部を絞り本体の絞り口部を介して巻取軸体のスリット溝に差し込み、この状態で巻取軸体を回転させると、チューブ状容器の底部は巻取軸体に巻き取られ、この巻取回転時において、チューブ状容器は対向一対の絞り部により絞られながら巻き取られることになり、この一対の絞り部による絞り作用によりチューブ状容器内の内容物はチューブ状容器の底部から吐出口部を閉塞しているキャップ側へと絞られて移動し、キャップを外して吐出口部を開口していれば内容物は吐出口部から徐々に吐出され、吐出口部を閉口していれば内容物は吐出口部側へと絞り移動されて溜まることになり、これによりチューブ状容器内の内容物の残留を抑制し、良好に絞り出すことができる。
【先行技術文献】
【特許文献】
【０００４】
【特許文献１】実開昭５１−３５４４９号公報
【考案の概要】
【考案が解決しようとする課題】
【０００５】
しかしながらこの従来構造の場合、上記巻取軸体を巻取回転させることによりチューブ状容器を巻取軸体に巻き取り、対向一対の絞り部によりチューブ状容器内の内容物を絞り出すに際し、対向一対の絞り部はいずれも絞り本体の底板部から立設した片持状態に形成されており、対向一対の絞り部間に形成された絞り口部は内容物を絞り出す際の絞り反力により押し広げられてしまい、この口開き現象のため、チューブ状容器内の内容物を確実に絞り上げることができず、内容物はチューブ状容器に残留してしまい、経済的に使用することができないことがあるという不都合を有している。
【課題を解決するための手段】
【０００６】
本考案はこのような不都合を解決することを目的とするもので、本考案のうちで、請求項１記載の考案は、起立設置可能な絞り本体の中程部に巻取空間を形成し、該絞り本体の上部に対向一対の絞り部を形成して該絞り部間にチューブ状容器を該巻取空間に挿通可能な絞り口部を形成し、該巻取空間にチューブ状容器の底部を差込可能なスリット溝を有してチューブ状容器を巻取可能な巻取軸体を配設し、該絞り本体の巻取空間の底部にチューブ状容器を支持可能な弾性部材を配設してなり、上記絞り口部は上記対向一対の絞り部及び該絞り部間を継合する継合部により一端が開口すると共に他端が閉口した形状に形成されていることを特徴とするチューブ絞出具にある。
【考案の効果】
【０００７】
本考案は上述の如く、請求項１記載の考案にあっては、チューブ状容器内の内容物が少なくなって内容物を絞り出し難くなったとき、チューブ状容器の底部を絞り本体の絞り口部を介して巻取軸体のスリット溝に差し込み、この状態で巻取軸体を回転させると、チューブ状容器の底部は巻取軸体に巻き取られ、この巻取回転時において、チューブ状容器は対向一対の絞り部により絞られながら巻き取られ、弾性部材は巻取状態のチューブ状容器の外面を弾圧支持することになり、この一対の絞り部による絞り作用によりチューブ状容器内の内容物はチューブ状容器の底部から吐出口部を閉塞しているキャップ側へと絞られて移動し、キャップを外して吐出口部を開口していれば内容物は吐出口部から徐々に吐出され、吐出口部を閉口していれば内容物は吐出口部側へと絞り移動されて溜まることになり、これによりチューブ状容器内での内容物の残留を抑制することができ、絞り出し後においては、そのまま載置面に起立状態で設置することができ、この際、上記絞り口部は上記対向一対の絞り部及びこの絞り部間を継合する継合部により一端が開口すると共に他端が閉口した形状に形成されているから、上記巻取軸体を巻取回転させて対向一対の絞り部によりチューブ状容器内の内容物を絞り出すに際し、絞り口部は継合部の存在により口開き現象を防ぐことができ、このため、チューブ状容器内の内容物を確実に絞り上げることができ、チューブ状容器内での内容物の残留を防いで、経済的に使用することができる。
【図面の簡単な説明】
【０００８】
【図１】本考案の実施例の全体斜視図である。
【図２】本考案の実施例の分解斜視図である。
【図３】本考案の実施例の使用状態を示す斜視図である。
【図４】本考案の実施例の使用状態を示す横断面図である。
【図５】本考案の実施例の使用状態を示す縦断面図である。
【考案を実施するための形態】
【０００９】
図１乃至図５は本考案の実施の形態例を示し、１は絞り本体であって、図１、図２の如く、合成樹脂製にして、洗面台等の載置面Ｍ上に起立設置可能に形成され、絞り本体１中程部に巻取空間Ｒを形成し、絞り本体１の上部に対向一対の絞り部１ａ・１ａを形成して、絞り部１ａ・１ａ間にチューブ状容器Ｗを巻取空間Ｒに挿通可能な絞り口部Ｋを形成している。
【００１０】
２は巻取軸体であって、この場合、図１、図２の如く、合成樹脂製にして、巻取軸部２ａ及び巻取軸部２ａの端部に形成されたハンドル部２ｂからなり、巻取軸部２ａは内孔２ｃを有する筒状に形成され、上記巻取空間Ｒに挿入配設され、チューブ状容器Ｗの底部Ｗ１を差込可能な内孔２ｃに届くスリット溝Ｓを有し、チューブ状容器Ｗの底部を巻取可能に形成されている。
【００１１】
３は弾性部材であって、この場合、図１、図２、図５の如く、弾性変形可能な合成樹脂製にして円弧板状に形成され、上記絞り本体１の巻取空間Ｒの底部に左右一対の弧状凹部１ｂ・１ｂを形成し、弾性部材３の両端部に弧状凹部１ｂ・１ｂに係合可能な係合凸部３ａ・３ａを突設し、弾性部材３の上面で巻取状態のチューブ状容器Ｗの外面を弾圧支持可能に構成している。
【００１２】
４は継合部であって、この場合、図２、図４、図５の如く、対向一対の絞り部１ａ・１ａの一方側部間に橋渡し状態に一体に形成され、しかして、上記絞り口部Ｋは上記対向一対の絞り部１ａ・１ａ及びこの絞り部１ａ・１ａ間を継合する継合部４により一端が開口すると共に他端が閉口した形状に形成されている。
【００１３】
この実施の形態例は上記構成であるから、図３、図４の如く、チューブ状容器Ｗ内の内容物が少なくなって内容物を絞り出し難くなったとき、チューブ状容器Ｗの底部Ｗ１を絞り本体１の絞り口部Ｋを介して巻取軸体２のスリット溝Ｓに差し込み、この状態で巻取軸体２を回転させると、チューブ状容器Ｗの底部Ｗ１は巻取軸体２に巻き取られ、この巻取回転時において、チューブ状容器Ｗは対向一対の絞り部１ａ・１ａにより絞られながら巻き取られ、図５の如く、弾性部材３は巻取状態のチューブ状容器Ｗの外面を弾圧支持することになり、この一対の絞り部１ａ・１ａによる絞り作用によりチューブ状容器Ｗ内の内容物はチューブ状容器Ｗの底部Ｗ１から吐出口部Ｆを閉塞しているキャップＷ２側へと絞られて移動し、キャップＷ２を外して吐出口部Ｆを開口していれば内容物は吐出口部Ｆから徐々に吐出され、吐出口部Ｆを閉口していれば内容物は吐出口部Ｆ側へと絞り移動されて溜まることになり、これによりチューブ状容器Ｗ内での内容物の残留を抑制することができ、絞り出し後においては、そのまま載置面Ｍに起立状態で設置することができ、この際、図２、図５の如く、上記絞り口部Ｋは上記対向一対の絞り部１ａ・１ａ及びこの絞り部１ａ・１ａ間を継合する継合部４により一端が開口すると共に他端が閉口した形状に形成されているから、上記巻取軸体２を巻取回転させて対向一対の絞り部１ａ・１ａによりチューブ状容器Ｗ内の内容物を絞り出すに際し、絞り口部Ｋは継合部４の存在により口開き現象を防ぐことができ、このため、チューブ状容器内の内容物を確実に絞り上げることができ、チューブ状容器内での内容物の残留を防いで経済的に使用することができる。
【００１４】
尚、本考案は上記の形態例に限られるものではなく、上記絞り本体１、絞り部１ａ・１ａの材質や大きさ、形態、構造等はチューブ状容器Ｗの大きさ等に応じて適宜変更して設計されるものである。
【００１５】
以上の如く、所期の目的を充分達成することができる。
【符号の説明】
【００１６】
Ｗ    チューブ状容器
Ｗ１    底部
Ｒ    巻取空間
Ｓ    スリット溝
Ｋ    絞り口部
１    絞り本体
１ａ    絞り部
２    巻取軸体
３    弾性部材
４    継合部
【図１】
0003165890.tif 000003
【図２】
0003165890.tif 000004
【図３】
0003165890.tif 000005
【図４】
0003165890.tif 000006
【図５】
0003165890.tif 000007